(57)【特許請求の範囲】
【請求項１】
ズボン本体の上端部裏面側に内外袋布片からなるスマートフォン収納用ポケット袋体を配設してこのポケット袋体の上端開口部をズボン本体の上端部から外部に開口したポケット口に形成してなるポケットを備えたズボンにおいて、ポケット口の外側口縁部を形成しているポケット袋体における外側袋布片の上端縁部を、前端がポケット口の前端側縫着部から１〜２ｃｍの突出長でもって上方に突出している一方、後端がポケット口の前端側縫着部から突出することなく後端側縫着部に一体に縫着されてこれらの前後縫着部を支点としてポケット口を広げる方向に撓み可能な突出遊離口縁部に形成していることを特徴とするズボン。
【請求項２】
ポケット袋体はズボン本体の後身頃の上端部裏面側に配設されていると共に、このポケット袋体における内外袋布片の前端縁上半部はズボン本体のサイドシームに一体に縫着されていることを特徴とする請求項１に記載のズボン。
【発明の詳細な説明】
【技術分野】
【０００１】
本発明は、スマートフォンの収納に適しているポケットを備えたズボンに関するものである。
【背景技術】
【０００２】
近年、携帯電話やスマートフォンなどの携帯用電子機器が広く普及し、外出する際の必需品ともなっている。この際、外出時にこれらの携帯用電子機器、例えば、携帯電話を携行するには、上着やズボンのポケットに収納するケースが多いが、ポケットには、通常、ハンカチなどが入れてあるため、携帯電話を安定した状態で収納しておくことができず、携行中に抜け落ちる虞がある。
【０００３】
このため、上記ポケットとは別に携帯電話収納用ポケットを備えたズボンが案出されている。例えば、特許文献１には、左右後身頃側に左右ピスポケットをそれぞれ設けているズボンにおいて、右ピスポケットのポケット口の上方近傍部に、右側後身頃の内面側（裏面側）に配設した携帯電話収納用ポケットのポケット口を設けてなるズボンが記載されてあり、また、特許文献２には、前ダーツを有するズボンにおいて、この前ダーツを形成している前身頃の内面側に携帯電話収納用隠しポケットを設け、この隠しポケットのポケット口を上記前ダーツを構成する縦襞に沿って形成してなるズボンが記載されている。
【先行技術文献】
【特許文献】
【０００４】
【特許文献１】登録実用新案第３０４３１３１号公報
【特許文献２】特開２００６−２８３２６７号公報
【発明の概要】
【発明が解決しようとする課題】
【０００５】
しかしながら、前者の携帯電話収納用ポケットを備えたズボンによれば、この携帯電話収納用ポケットのポケット袋体における前側袋布片の上端縁の上方にポケット袋体の後側布片の上端縁を引き揃え状態に平行に配設してこれらの上端縁の両端部を後身頃に一体に縫着することによってポケット口を形成しているため、ズボンを着用した時に発生する胴回り方向の緊張力によって、ポケット口を形成している前後側袋布の上端縁両端部の縫着部が互いに相反する方向に張引されてポケット口の閉口力が強くなり、そのため、携帯電話を収納する際には、携帯電話の下端部でポケット口の上方の後身頃上端部を内方に向かって強く押圧して、ポケット口の上側口縁部を形成している後側袋布の上端縁部をポケット口の下側口縁部を形成している前側袋布の上端縁部に対して前方、即ち、身体の臀部側に凹ませることにより、ポケット口の開口幅を携帯電話の厚みよりも広くしながら挿入しなければならず、円滑に収納することができないといった問題点がある。
【０００６】
その上、収納時に携帯電話の下端部で上記のようにポケット口の上方の後身頃上端部を内方に向かって強く押圧すると、その押圧力によってポケット口の下側口縁部を形成している前側袋布の上端縁が一層緊張してポケット口の開口を抑止する方向、即ち、携帯電話を押さえ付けようとする方向に作用し、携帯電話の収納が困難となる事態が生じる。
【０００７】
一方、後者の携帯電話収納用隠しポケットを備えたズボンによれば、ポケット口はズボンの前ダーツに沿って形成されているので、ポケット口を拡げながら携帯電話を隠しポケット内に容易に収納することができるが、ポケット口が後方に向かって開口しているので、携帯電話の取り出しが容易となるように隠しポケットの深さを浅くして携帯電話の一部をこのポケット口から露出した状態となるように収納可能にすれば、歩行中等において携帯電話が隠しポケットから簡単に抜け出て紛失する虞がある。そのため、隠しポケットの深さを深くして携帯電話を完全に収納できるように形成しているが、そうすると、使用時には手をこのポケット内に挿入して携帯電話を掴み、ポケット口から引き出さなければならず、ポケット口に引っ掛かったりして取り出し難くなるといった問題点があった。
【０００８】
本発明はこのような問題点に鑑みてなされたもので、その目的とするところは、スマートフォンの収納が円滑且つ確実に行えると共に安定した収納状態を保持することができ、さらに、使用時においても素早く取り出すことができるスマートフォン収納用ポケットを備えたズボンを提供するにある。
【課題を解決するための手段】
【０００９】
上記目的を達成するために本発明のズボンは、ズボン本体の上端部裏面側に内外袋布片からなるスマートフォン収納用ポケット袋体を配設してこのポケット袋体の上端開口部をズボン本体の上端部から外部に開口したポケット口に形成してなるポケットを備えたズボンにおいて、ポケット口の外側口縁部を形成しているポケット袋体における外側袋布片の上端縁部を、前端がポケット口の前端側縫着部から１〜２ｃｍの突出長でもって上方に突出している一方、後端がポケット口の前端側縫着部から突出することなく後端側縫着部に一体に縫着されてこれらの前後縫着部を支点としてポケット口を拡げる方向に撓み可能な突出遊離口縁部に形成していることを特徴とする。
【００１０】
このように構成したズボンにおいて、請求項２に係る発明は、上記ポケット袋体はズボン本体の後身頃の上端部裏面側に配設されていると共に、このポケット袋体における内外袋布片の前端縁上半部はズボン本体のサイドシームに一体に縫着されていることを特徴とする。
【発明の効果】
【００１１】
本発明のズボンによれば、請求項１に記載したように、ズボン本体の上端部裏面側に内外袋布片からなるスマートフォン収納用ポケット袋体を配設してこのポケット袋体の上端開口部をズボン本体の上端部から外部に開口したポケット口に形成してなるポケットを備えたズボンにおいて、ポケット口の外側口縁部を形成しているポケット袋体における外側袋布片の上端縁部をポケット口の両端縫着部における少なくとも一方の縫着部から上方に突出させて上記両端縫着部を支点としてポケット口を拡げる方向に撓み可能な突出遊離口縁部に形成しているので、スマートフォンを上記ポケットに収納する際に、スマートフォンの下端でポケット口上方部のズボンの上端部を軽く押圧すれば、ポケット口の内側口縁部がポケット口の外側口縁部を形成している上記突出遊離口縁部に対してズボンの上端部と一体的に内方に凹み変形して突出遊離口縁部との間にスマートフォンが挿入可能な隙間を生じさせることができ、この状態にしてスマートフォンをポケット口に差し込むと、上記突出遊離口縁部がポケット口の両端縫着部を支点として外方に撓みながらポケット口を拡開させて、この突出遊離口縁部の内面に沿ってポケット袋体内にスマートフォンを円滑且つ確実に収納させることができる。
【００１２】
また、スマートフォンをポケット袋体内に収納した状態においては、ズボンの着用によってポケット口の両端縫着部に生じている緊張力によりスマートフォンの不測の抜け出しを防止しながら安定した収納状態に保持することができ、その上、使用時には、ポケット口の外側口縁部を形成している上記突出遊離口縁部を外方に捲るように撓ませながらこの突出遊離口縁部の内面に沿ってポケット袋体内から素早く取り出すことができる。
【００１３】
さらに、本発明によれば、上記突出遊離口縁部は、その前端がポケット口の前端側縫着部から１〜２ｃｍの突出長でもって上方に突出している一方、後端を上方に突出させることなく後端側縫着部に一体に縫着しているので、突出遊離口縁部が後端側から前端側に向かってポケット口の拡口を漸次大きく拡げる方向に外方に撓みながらスマートフォンの収納を容易に行わせることができると共に、後端側縫着部によって突出遊離口縁部が必要以上に大きく外方に撓むのを抑制してポケット口に形崩れを生じさせることなく体裁のよい外観を保持することができる。また、使用時には、スマートフォンの上端部を把時して撓み変形が容易な突出遊離口縁部の前端部を外方に撓ませながら、斜め前方に素早く引き出すことができる。
【００１４】
その上、本発明によれば、上記ポケット袋体の深さをスマートフォンの長さよりも浅い深さに形成して、収納した際にスマートフォンの上端部をポケット口から上方に突出させるように構成しているので、使用時には、指先をポケット袋体内に挿入することなくポケット口から上方に突出したスマートフォンの上端部を把時して円滑に取り出すことができる。
【００１５】
請求項２に係る発明によれば、上記ポケット袋体はズボン本体の後身頃の上端部裏面側に配設されていると共にこのポケット袋体における内外袋布片の前端縁上半部はズボン本体のサイドシームに一体に縫着されているので、このポケットが腰の側面部分に設けられた状態となり、従って、違和感を与えることなくスマートフォンをポケット袋内に収納しておくことができるのは勿論、歩行中においても椅子等に腰を掛けている時においても、ポケット袋に対するスマートフォンの出し入れが容易に行うことができる。
【図面の簡単な説明】
【００１６】
【図１】本発明ズボンの側面図。
【図２】そのスマートフォン収納用ポケット部分の斜視図。
【図３】スマートフォン収納用ポケット部分の縦断正面図。
【図４】ズボンの上部を展開した状態の正面図。
【図５】その裏面図。
【図６】スマートフォンを収納している状態の斜視図。
【図７】収納した状態の斜視図。
【図８】その縦断正面図。
【図９】ポケット袋体の展開図。
【図１０】ポケット袋体を縫成した状態の側面図。
【図１１】後身頃にポケット袋体を縫着した状態の裏側から見た側面図。
【図１２】その表側から見た側面図。
【発明を実施するための形態】
【００１７】
次に、本発明の具体的な実施の形態を図面について説明すると、図１〜図５において、携帯用電子機器収納用ポケット、具体的にはスマートフォン収納用ポケット２は、ズボン本体１の上端部裏面側に配設したスマートフォン収納用ポケット袋体２ａと、このポケット袋体２ａの上端開口部をズボン本体１の上端部から外部に開口させてなるポケット口２ｂとによって形成されている。
【００１８】
詳しくは、スマートフォン収納用ポケット袋体２ａ（以下、単にポケット袋体２ａとする）は、ズボン本体１の左右後身頃１ａ、１ｂのいずれか一方、図においては、左側後身頃１ａの上端部裏面側に配設されてあり、このポケット袋体２ａの上下方向に向けている前端縁の上半部をズボン本体１のサイドシーム１ｃの上端部裏面に一体に縫着３（図５に示す）して、ポケット口２ｂをサイドシーム１ｃから後方側における左側後身頃１ａの上端部において上方に向けて開口させている。このポケット２はズボン本体１の左右後身頃１ａ、１ｂの後部に設けている左右ヒップポケット２５、２６における左側ヒップポケット２５の前部における上半部に左側後身頃１ａの裏面側においてその下部を重ねた状態で配設され、ポケット口２ｂは左側ヒップポケット２５のポケット口の前部上方においてズボン本体１の左側後身頃１ａの上端部から外部に開口させている。
【００１９】
上記ポケット袋体２ａは図３、図９、図１０に示しているように、外側袋布片２１と内側袋布片２２とを重ね合わせて縫着することにより形成されていると共に、ズボン本体１の上記左側後身頃１ａの前側上端部に、図１１に示すように、その上端縁から下方に向かって長さの短い裁断端縁１１と、この裁断端縁１１の下端から前方に向かってポケット口２ｂの開口横幅に等しい長さを有する水平上端縁１２とを形成してあり、さらに、左側後身頃１ａの前端縁１３はこの水平上端縁１２の前端から下方に向かって形成されていて該前端縁１３における上端部を１〜２ｃｍの長さだけ残してその前端部をサイドシーム１ｃに一体に縫着４している。
【００２０】
そして、上記ポケット袋体２ａの上端開口部における前端部を上記左側後身頃１ａの前端縁１３における上端から１〜２ｃｍ下方部分に縫着５ａしていると共に後端部を左側後身頃１ａの水平上端縁１２の後端に縫着５ｂすることによって、これらの前後縫着部５ａ、５ｂ間から上方に向かって開口している上記ポケット口２ｂを形成している。
【００２１】
さらに、上記ポケット袋体２ａの内側袋布片２２の上端部は左側後身頃１ａの上記水平上端縁１２、即ち、上記両端縫着部３ａ、３ｂ間から上方に向かって突出していてその上端を図３、図８に示すように、ズボン本体１の上端縁（ベルト帯６の下端縁）に一体に縫着７している一方、ポケット袋体２ａの外側袋布片２１の上端縁２１ａは上記左側後身頃１ａの水平上端縁１２とこの水平上端縁１２の前端から上記前側縫着部５ａまでの段状の端縁と同大、同形の縁部に形成されていて、この外側袋布片２１の上端縁２１ａを左側後身頃１ａの水平上端縁１２の裏面に縫着９していると共に、該上端縁の前端から上記前側縫着部５ａまでの長さに等しい前端縁部２１ｂを前側縫着部５ａから上方に突出する左側後身頃１ａの上記前端縁１３の裏面にそれぞれ重ね合わせて一体に縫着することにより、外側袋布片２１の上端縁部を左側後身頃１ａの上記段状の上縁部と共にポケット口２ｂの上記両端縫着部５ａ、５ｂ間から上方に突出させて、この両端縫着部５ａ、５ｂを支点としてポケット口２ｂを拡開させる方向に撓み可能な突出遊離口縁部８に形成している。
【００２２】
その上、上記ポケット袋体２ａの深さはスマートフォンＳの長さよりも浅い深さに形成され、図７、８に示すように、このポケット袋体２ａ内にスマートフォンＳを収納した際に、スマートフォンＳの上端部をポケット口２ｂから上方に突出させるように構成している。
【００２３】
このように構成したので、スマートフォン収納用ポケット２にスマートフォンＳを収納する場合には、図６に示すように、ポケット袋体２ａにおけるポケット口２ｂの両端縫着部５ａ、５ｂ間から上方に突出している突出遊離口縁部８をスマートフォンＳの下端により外方に押し拡げながら、スマートフォンＳをこの突出遊離口縁部８の内面に沿ってポケット袋体２ａ内に簡単に挿入、収納することができる。
【００２４】
また、このポケット袋体２ａは、ズボン本体１の側面側に配設しているので、歩行時は勿論、椅子等に腰を掛けた際にも安定した状態で収納しておくことができると共に、スマートフォンＳの上端部をポケット口２ｂから突出させた状態で収納していることと相まって、使用時には素早くポケット袋体２ａから取り出すことができる。なお、ポケット袋体２ａをズボン本体１の左右いずれの側面側に設けておいてもこのような効果を奏するが、本発明においては、スマートフォン収納用ポケット袋体２ａをズボン本体１の前身頃側に設けておいてもよく、また、後身頃の後部側に設けておいてもよい。
【００２５】
次に、ズボン本体１に対する上記スマートフォン収納用ポケット２のポケット袋体２ａの縫着方法を簡単に説明すると、まず、図９、図１０に示すように、ポケット袋体２ａを縫製する。このポケット袋体２ａは外側袋布片２１と内側袋布片２２とからなり、これらの外側袋布片２１と内側袋布片２２とはポケット袋体２ａの後端縁となる部分を一体に連続させている。外側袋布片２１の上端縁は上述したように、左側後身頃１ａの裁断端縁１１とこの裁断端縁１１の下端から前方に向かう水平上端縁１２と同一形状の段状上端縁２１ａに形成されてあり、内側袋布片２２の上端部はこの段状上端縁２１ａにおける水平上端縁部よりも上方に突出している。
【００２６】
ポケット袋体２ａの内面を形成するこれらの内外袋布片２１，２２の対向面上部に、図９に示すように、これらの上部の形状に等しく、且つズボン本体１の身頃と同じ生地からなる見返し片２３と向こう布片２４とをそれぞれ縫着したのち、これらの見返し片２３と向こう布片２４とが外側となるように二つ折りし、重なり合った内外袋布片２１、２２の下端縁からポケット袋体２ａの前端縁となる部分の下半部にかけて縫着１４する。しかるのち、この縫着部がポケット袋体２ａの内底部となるようにひっくり返してポケット袋体２ａを形成する。
【００２７】
次いで、ズボン本体１の後身頃１ａの上記裁断端縁１１の裏面から水平上端面１２の裏面にこのポケット袋体２ａの外側袋布片２１の上記上端縁２１ａを縫着９すると共に該上端縁２１ａの前端から下方に延びる前端縁における１〜２ｃｍの上端長さ部分を一体に縫着し、さらに、この縫着部の下端をポケット袋体２ａにおける内側袋布片２２の上部前端縁に縫着５ａすると共に、ズボン本体１の後身頃１ａの上記水平上端面１２の後端とこの後端に一体の外側袋布片２１の上端縁２１ａの後端をポケット袋体２ａにおける内側袋布片２２の上部後端縁部に縫着５ｂすることによって上記突出遊離口縁部８を形成する。
【符号の説明】
【００２８】
１  ズボン本体
１ａ、１ｂ  左右後身頃
１ｃ  サイドシーム
２  スマートフォン収納用ポケット
２ａ  ポケット袋体
２ｂ  ポケット口
８  突出遊離口縁部
Ｓ  スマートフォン
【図１】
0005933881.tif 000002
【図２】
0005933881.tif 000003
【図３】
0005933881.tif 000004
【図４】
0005933881.tif 000005
【図５】
0005933881.tif 000006
【図６】
0005933881.tif 000007
【図７】
0005933881.tif 000008
【図８】
0005933881.tif 000009
【図９】
0005933881.tif 000010
【図１０】
0005933881.tif 000011
【図１１】
0005933881.tif 000012
【図１２】
0005933881.tif 000013